【事件の表示】
　特許第２６３３３７９号「スクロール表示装置」の特許に対する特許異議の申立てについて、次のとおり決定する。
【結論】
　訂正を認める。
　特許第２６３３３７９号の特許を維持する。
【理由】
１．手続きの経緯
　本件特許第２６３３３７９号に係る発明は、平成２年７月２４日に特許出願され、平成９年４月２５日にその発明ついて特許の設定登録がなされた後、その特許について、特許異議申立人二宮章より特許異議申立がなされ、取消理由通知がなされ、取消理由通知の指定期間内である平成１１年６月２４日に訂正請求がなされたものである。
２．訂正の適否についての判断
ア．訂正の内容
（訂正事項ａ）
　本件特許掲載公報の明細書（以下、本件明細書と称す）第５欄第１行目乃至同欄第３０行目に記載の、
『素子あたり複数のデータを各表示素子に送出する出力制御手段とを含むことを特徴とするスクロール表示装置である。
作用
　本発明に従うスクロール表示装置では、表示素子が行列状に配列された表示手段を用いる。表示手段に表示される画像データは、表示素子毎に与えられる単位データから構成され、記憶手段には表示素子の数以上の単位データを記憶する。出力制御手段は、記憶手段に記憶された画像データを予め定めるスクロール方向に相互に隣接する表示素子に順次的に与え、画像データに基づく画像を１画素分のスクロールする単位スクロール時間毎にスクロールさせる。このとき出力制御手段は前記単位スクロール時間内に、表示素子の数以上の単位データを各表示素子に送出する。
　したがって表示手段では、単位スクロール時間毎の表示内容の間の中間的なスクロール状態の表示内容が表示される。したがってスクロール動作を行うにあたって、円滑で連続性を有するスクロール動作が実現され、このようなスクロール表示装置のスクロール動作に関する品質が格段に向上される。
　本発明では、スクロールの回数が複数回で１画素分移動するものであり、画素数以上の記憶デー夕が、スクロールするための画面の外に隠れた表示データを持つのは当然であるけれども、本発明ではさらに、行または列の間に隠れた表示データを持ち、これによってあたかもスクロール方向に画素数が増えたかのような見え方が達成され、これによって画素間隔以上の解像度を表現し、時間的、空間的に円滑な表示を得ることができるようになる。』を、
『素子あたり複数のデータを各表示素子に送出する出力制御手段とを含むことを特徴とするスクロール表示装置である。ここで、「１画素毎スクロール方向にずらしたデータ」の「データ」とは、「実在および仮想を含めた全画素による表示を想定した表示データ」のことであり、「１画素分スクロールする」の「１画素」とは、「全体画像を構成する１単位で、１表示素子」のことであり、「１素子あたり複数のデータ」の「複数のデータ」とは、「実在および仮想を含めた複数の単位データ」のことである。
作用
　本発明に従うスクロール表示装置では、表示素子が行列状に配列された表示手段を用いる。表示手段に表示される画像データは、表示素子毎に与えられる単位データから構成され、記憶手段には表示素子の数以上の実在および仮想を含めた全画素による表示を想定した単位データを記憶する。出力制御手段は、記憶手段に記憶された画像データを予め定めるスクロール方向に相互に隣接する表示素子に順次的に与え、画像データに基づく画像を１画素分のスクロールする単位スクロール時間毎にスクロールさせる。このとき出力制御手段は前記単位スクロール時間内に、表示素子の数以上の実在および仮想を含めた複数の単位データを各表示素子に送出する。
　したがって表示手段では、単位スクロール時間毎の表示内容の間の中間的なスクロール状態の表示内容が表示される。したがってスクロール動作を行うにあたって、円滑で連続性を有するスクロール動作が実現され、このようなスクロール表示装置のスクロール動作に関する品質が格段に向上される。
　本発明では、スクロールの回数が実在および仮想を含めた複数回で１画素分移動するものであり、画素数以上の記憶データが、スクロールするための画面の外に隠れた表示データを持つのは当然であるけれども、本発明ではさらに、行または列の間に隠れた仮想の画素による表示を想定した表示データを持ち、これによってあたかもスクロール方向に画素数が増えたかのような仮想の画素による見え方が達成され、これによって画素間隔以上の解像度を表現し、時間的、空間的に円滑な表示を得ることができるようになる。』
と訂正する。
（訂正事項ｂ）
　本件明細書第５欄第３９行目乃至同欄第４１行目に記載の、
「表示装置１１は、表示素子Ｃ１，Ｌ２…Ｌｍ，ｎ（総称する場合にはＬで示す）がｍ行×ｎ列の行列状に配列されて成る表示器１２と、」を、
「表示装置１１は、表示素子Ｌ１，１、…Ｌｍ，ｎ（総称する場合にはＬで示す）がｍ行×ｎ列の行列状に配列されて成る表示器１２と、」
と訂正する。
（訂正事項ｃ）
　本件明細書第６欄第６行目乃至同欄第７行目に記載の、
「以下の説明ではｍ＝８、ｎ−８の例について説明する。　」を、
「以下の説明ではｍ＝８、ｎ＝８の例について説明する。　」
と訂正する。
（訂正事項ｄ）
　本件明細書第９欄第６行目乃至同欄第８行目に記載の、
「前記実施例では、単位スクロール時間Ｄｓの間に１回の補間表示を介在させるようにしたけれども、この補間表示は複数回介在させるようにしてもよい。」を、
「前記実施例では、単位スクロール時間Ｔｓの間に１回の仮想画素による表示を想定した表示データによる補間表示を介在させるようにしたけれども、この補間表示は複数回介在させるようにしてもよい。」
と訂正する。
イ．訂正の目的の適否、新規事項の有無及び拡張・変更の存否
　上記訂正事項ａについては、本件明細書の（課題を解決するための手段及び作用）について、また、上記訂正事項ｂ．ｃ．ｄについては、本件明細書の（実施例）について、訂正したものである。当該（課題を解決するための手段及び作用）（実施例）の訂正事項は、本件明細書第５欄第１行目乃至同欄第３０行目、本件明細書第５欄第３９行目乃至同欄第４１行目、本件明細書第６欄第６行目乃至同欄第７行目及び本件明細書第９欄第６行目乃至同欄第８行目に記載されていたものと実質同一のものである。
　このような訂正は、課題を解決するための手段を明りょうにしたものであり、また、実施例の誤記を単に訂正したものであるから、特許法第１２０条の４第２項但し書き第３号に規定する「明りょうでない記載の釈明」、同条第２項但し書き第２号に規定する「誤記の訂正」にそれぞれ相当するものである。
　すなわち、上記訂正事項ａ．ｂ．ｃ．ｄは、願書に最初に添付した明細書又は図面に記載した事項の範囲内の訂正であり、また、特許請求の範囲を拡張し又は変更するものでもないから、特許法１２０条の４第３項で準用する第１２６条第２項及び第３項の規定に適合するものである。
ウ．独立特許要件
　訂正明細書の請求項１に係る発明は、特許出願の際独立して特許を受けることができるものである。
エ．むすび
　以上のとおりであるから、上記訂正事項ａ、ｂ、ｃは、特許法第１２０条の４第３項で準用する１２６条第２−４項の規定に適合するので、当該訂正を認める。
３．特許異議申立について
ア．本件発明
　特許第２６３３３７９号の請求項１に係る発明（以下、「本件発明」という。）は、その特許請求の範囲の請求項１に記載された事項により特定される次のとおりのものである。
　【請求項１】表示素子が行列状に配列された表示手段と、
　各表示素子および隣り合う素子間をスクロール方向に補間する画素を想定し、実在および仮想を含めた全画素による表示を想定した表示データを記憶する記憶手段と、
　記憶手段に記憶されたデータを実在画素毎の間隔で出力し、しかも１画素毎スクロール方向にずらしたデータを順次出力することにより表示がスクロール動作するときの１画素分スクロールする単位スクロール時間内に１素子あたり複数のデータを各表示素子に送出する出力制御手段とを含むことを特徴とするスクロール表示装置。
イ．申立ての理由の概要
　申立人二宮章は、特許請求の範囲の記載は不明確であるから、本件発明は特許法第３６条第６項に規定する要件を満たしていない特許出願に対して特許されたものであり、取り消されるべきものであると、また、証拠として甲第１号証（米国特許第４，１６２，４９３号）、甲第２号証（特表昭６３−５００７４６号公報）を提出し、請求項１に係る発明の特許は、特許法第２９条第１項または第２項の規定に違反してなされたものであるから、特許を取り消されるべき旨主張している。
ロ．当審が通知した取消理由に引用された引用刊行物１、２記載の発明
　当審が通知した取消理由に引用された刊行物１（米国特許第４，１６２，４９３号）には、
各瞬間においては視認対象物の一部しか見えないにも関わらず、その対象物が移動することによって補間され対象物全体が視認しうるという原理が、人間の視覚についてのいわゆる残像効果を応用したものである点、
が記載されている。
　又、同刊行物２（特表昭６３−５００７４６号公報）には、マトリックスのどの行においても、関連した画像源をもつ連続する画素を、画像源を持たない空画素を持つ列によって等間隔だけ離して配置することにより、発光ダイオード用の画像源が、１つのマトリックス内の各々の画素がそのマトリックスの隣の行にあるもっとも近接した画素と垂直方向に重なり合うような大きさとすることにより、ベータ見掛け動作を高め、画像が瞬間的な断片に壊れる傾向を抑え、画像の運動方向に並行な線に中心をおく画像要素間の間隔を広げ、さらに、画像源のインターレース効果により、画像源の間隔配置の改善と、その結果、静止グラフィックスの解像度を限定することを可能とし、低解像度の静止グラフィックスの表示を可能にするとともに、しかも表示されたグラフィックス画像の解像度を著しく低下させることがない発明が、甲第１号証の発明の改良発明として記載されている。
ハ．対比・判断
（１）特許法第２９条第１、２項違反について
　請求項１に係る発明と刊行物１、２記載の発明とを対比すると、本件発明が、「仮想の表示データ」を有し、１表示素子あたり実在および仮想のデータを含めて表示する点で、刊行物１、２記載の発明とは相違する。
（２）特許法第３６条違反について
　本件明細書の第５欄第１行目乃至同欄第３０行目に記載を、『素子あたり複数のデータを各表示素子に送出する出力制御手段とを含むことを特徴とするスクロール表示装置である。ここで、「１画素毎スクロール方向にずらしたデータ」の「データ」とは、「実在および仮想を含めた全画素による表示を想定した表示データ」のことであり、「１画素分スクロールする」の「１画素」とは、「全体画像を構成する１単位で、１表示素子」のことであり、「１素子あたり複数のデータ」の「複数のデータ」とは、「実在および仮想を含めた複数の単位データ」のことである。
作用
本発明に従うスクロール表示装置では、表示素子が行列状に配列された表示手段を用いる。表示手段に表示される画像データは、表示素子毎に与えられる単位データから構成され、記憶手段には表示素子の数以上の実在および仮想を含めた全画素による表示を想定した単位データを記憶する。出力制御手段は、記憶手段に記憶された画像データを予め定めるスクロール方向に相互に隣接する表示素子に順次的に与え、画像データに基づく画像を１画素分のスクロールする単位スクロール時間毎にスクロールさせる。このとき出力制御手段は前記単位スクロール時間内に、表示素子の数以上の実在および仮想を含めた複数の単位データを各表示素子に送出する。
　したがって表示手段では、単位スクロール時間毎の表示内容の間の中間的なスクロール状態の表示内容が表示される。したがってスクロール動作を行うにあたって、円滑で連続性を有するスクロール動作が実現され、このようなスクロール表示装置のスクロール動作に関する品質が格段に向上される。
　本発明では、スクロールの回数が実在および仮想を含めた複数回で１画素分移動するものであり、画素数以上の記憶データが、スクロールするための画面の外に隠れた表示データを持つのは当然であるけれども、本発明ではさらに、行または列の間に隠れた仮想の画素による表示を想定した表示データを持ち、これによってあたかもスクロール方向に画素数が増えたかのような仮想の画素による見え方が達成され、これによって画素間隔以上の解像度を表現し、時間的、空間的に円滑な表示を得ることができるようになる。』と訂正することにより、特許請求の範囲の記載は明確になった。
　従って、本件発明の特許請求の範囲において、記載不備があるとはいえない。
ニ．むすび
　以上のとおりであるから、請求項１及び２に係る発明は上記刊行物１又は２に記載された発明に基づき当業者が容易に発明をすることができたものと認めることはできない。さらに、特許請求範囲の記載も不明確でない。
　また、他に本件発明の特許を取り消すべき理由を発見しない。
　よって、結論のとおり決定する。
【異議決定日】
平成１１年７月５日（１９９９．７．５）
【訂正の要旨】
訂正の要旨
１．訂正事項ａ
　本件特許掲載公報の明細書（以下、本件明細書と称す）第５欄第１行目乃至同欄第３０行目に記載の、
『素子あたり複数のデータを各表示素子に送出する出力制御手段とを含むことを特徴とするスクロール表示装置である。
作用
　本発明に従うスクロール表示装置では、表示素子が行列状に配列された表示手段を用いる。表示手段に表示される画像データは、表示素子毎に与えられる単位データから構成され、記憶手段には表示素子の数以上の単位データを記憶する。出力制御手段は、記憶手段に記憶された画像データを予め定めるスクロール方向に相互に隣接する
表示素子に順次的に与え、画像データに基づく画像を１画素分のスクロールする単位スクロール時間毎にスクロールさせる。このとき出力制御手段は前記単位スクロール時間内に、表示素子の数以上の単位データを各表示素子に送出する。
　したがって表示手段では、単位スクロール時間毎の表示内容の間の中間的なスクロール状態の表示内容が表示される。したがってスクロール動作を行うにあたって、円滑で連続性を有するスクロール動作が実現され、このようなスクロール表示装置のスクロール動作に関する品質が格段に向上される。
　本発明では、スクロールの回数が複数回で１画素分移動するものであり、画素数以上の記憶データが、スクロールするための画面の外に隠れた表示データを持つのは当然であるけれども、本発明ではさらに、行または列の間に隠れた表示データを持ち、これによってあたかもスクロール方向に画素数が増えたかのような見え方が達成され、これによって画素間隔以上の解像度を表現し、時間的、空間的に円滑な表示を得ることができるようになる。』を、
『素子あたり複数のデータを各表示素子に送出する出力制御手段とを含むことを特徴とするスクロール表示装置である。ここで、「１画素毎スクロール方向にずらしたデータ］の「データ」とは、「実在および仮想を含めた全画素による表示を想定した表示データ」のことであり、「１画素分スクロールする」の「１画素」とは、「全体画
像を構成する１単位で、１表示素子」のことであり、「１素子あたり複数のデータ」の「複数のデータ」とは、「実在および仮想を含めた複数の単位データ」のことである。
作用
　本発明に従うスクロール表示装置では、表示素子が行列状に配列された表示手段を用いる。表示手段に表示される画像データは、表示素子毎に与えられる単位データから構成され、記憶手段には表示素子の数以上の実在および仮想を含めた全画素による表示を想定した単位データを記憶する。出力制御手段は、記憶手段に記憶された画像データを予め定めるスクロール方向に相互に隣接する表示素子に順次的に与え、画像データに基づく画像を１画素分のスクロールする単位スクロール時間毎にスクロールさせる。このとき出力制御手段は前記単位スクロール時間内に、表示素子の数以上の実在および仮想を含めた複数の単位データを各表示素子に送出する。
　したがって表示手段では、単位スクロール時間毎の表示内容の間の中間的なスクロール状態の表示内容が表示される。したがってスクロール動作を行うにあたって、円滑で連続性を有するスクロール動作が実現され、このようなスクロール表示装置のスクロール動作に関する品質が格段に向上される。
　本発明では、スクロールの回数が実在および仮想を含めた複数回で１画素分移動するものであり、画素数以上の記憶データが、スクロールするための画面の外に隠れた表示データを持つのは当然であるけれども、本発明ではさらに、行または列の間に隠れた仮想の画素による表示を想定した表示データを持ち、これによってあたかもスクロール方向に画素数が増えたかのような仮想の画素による見え方が達成され、これによって画素間隔以上の解像度を表現し、時間的、空間的に円滑な表示を得ることができるようになる。』
と訂正する。
２．訂正事項ｂ
　本件明細書第５欄第３９行目乃至同欄第４１行目に記載の、
「表示装置１１は、表示素子Ｃ１，Ｌ２、…Ｌｍ，ｎ（総称する場合にはＬで示す）がｍ行×ｎ列の行列状に配列されて成る表示器１２と、」を、
［表示装置１１は、表示素子Ｌ１，１、…Ｌｍ，ｎ（総称する場合にはＬで示す）がｍ行×ｎ列の行列状に配列されて成る表示器１２と、」
と訂正する。
３，訂正事項ｃ
　本件明細書第６欄第６行目乃至同欄第７行目に記載の、
「以下の説明ではｍ＝８、ｎ−８の例について説明する。」を、
「以下の説明ではｍ＝８、ｎ＝８の例について説明する。」
と訂正する。
４．訂正事項ｄ
　本件明細書第９欄第６行目乃至同欄第８行目に記載の、
「前記実施例では、単位スクロール時間Ｄｓの間に１回の補間表示を介在させるようにしたけれども、この補間表示は複数回介在させるようにしてもよい。」を、
「前記実施例では、単位スクロール時間Ｔｓの間に１回の仮想画素による表示を想定した表示データによる補間表示を介在させるようにしたけれども、この補間表示は複数回介在させるようにしてもよい。」
と訂正する。
（５４）【発明の名称】
スクロール表示装置
（５７）【特許請求の範囲】
　表示素子が行列状に配列された表示手段と、各表示素子および隣り合う素子間をスクロール方向に補間する画素を想定し、実在および仮想を含めた全画素による表示を想定した表示データを記憶する記憶手段と、記憶手段に記憶されたデータを実在画素毎の間隔で出力し、しかも１画素毎スクロール方向にずらしたデータを順次出力することにより表示がスクロール動作するときの１画素分スクロールする単位スクロール時間内に１素子あたり複数のデータを各表示素子に送出する出力制御手段とを含むことを特徴とするスクロ
【発明の詳細な説明】
　産業上の利用分野
　本発明は、表示素子が行列状に配列されて成る表示手段上に、静止画像をスクロールさせて表示するスクロール表示装置に関する。
　従来の技術
　従来からＬＥＤ（発光ダイオード）や各種光源を行列状に配列して、マトリツクス型表示装置を構成し、当該マトリツクス型表示装置の表示領域内で、文字などのキャラクタや図形を縦方向または横方向にスクロールさせることによって、多様なデータを順次表示させる構成が知られている。第８図は、典型的なスクロール表示装置（以下、表示装置と略する）１のブロツク図である。表示装置１は、表示素子Ｌｌ，ｌ、…Ｌｍ，ｎ（総称する場合にはＬで示す）がｍ行×ｎ列の行列状に配列されて成る表示器２と、表示器２に対応し各表示素子Ｌの点灯／停止状態を規定する単位データ３が表示器２におけるスクロール前後の２種類の表示内容に対応する表示データＡ，Ｂとして記憶されるメモリ４と、メモリ４に記憶された画像データＡ，Ｂを読み出して表示器２でスクロール表示する制御を行う出力制御部５とを含んで構成される。
　メモリ４は、表示器２の表示素子Ｌの数の２倍の記憶容量を有し、画像データＡは表示器２における第１の表示状態に対応する単位データａｉ，ｊ（ｉ＝１〜ｍ，ｊ＝１〜ｎ）から構成され、画像データＢは他の表示状態に対応する単位データｂｉ，ｊ（ｉ＝１〜ｍ，ｊ＝１〜ｎ）から構成される。メモリ４は列単位の単位データａｌ，ｊ〜ａｍ，ｊ；ｂｌ，ｊ〜ｂｍ，ｊ（ｊ＝１〜ｎ）にアドレスａｄ１、ａｄ２、ａｄｎ、ａｄ（ｎ＋１）、…、ａｄ２ｎが設定される。
　第９図は、前記出力制御部５の構成例を示すブロツク図である。出力制御部５は、予め定める周波数のシフトクロツクＳＣＫを出力する発振器６を備え、シフトクロツクＳＣＫは、３ビツトのカウント出力Ｑ３〜Ｑ１を有するカウンタＣ１にクロツク信号として入力される。前記カウント出力Ｑ３〜Ｑ１は、３人力のＮＡＮＤ回路７に入力され、その出力は同期信号ＳＹとして出力される。また出力制御部５は、データ入力端子Ｄが基準電圧ＶＤＤに接続されたフリツプフロツプ回路ＦＦを備え、その反転出力Ｑは、前記同期信号ＳＹと共にＡＮＤ回路８に入力され、ＡＮＤ回路８の出力は４ビツトのカウント出力Ｑ４〜Ｑ１を有するカウンタＣ２にクロツク信号として入力される。
　カウンタＣ２の上位から第２ビツト目の出力Ｑ３は、反転回路９を介して前記フリツプフロツプ回路ＦＦのクロツク入力端子Ｃに与えられる。またフリツプフロツプ回路ＦＦのローアクテイブなリセツト入力端子Ｒには、スタート信号ＳＴが外部から供給される。
　カウンタＣ２の出力は、カウンタＣ３の４ビツトの入力端子Ｐ４〜Ｐ１に個別に供給される。カウンタＣ３のロード信号端子ＬＤには、前記同期信号ＳＹが反転されて入力され、クロツク入力端子ＣＫには、前記シフトクロツクＳＣＫが入力される。カウンタＣ３は、入力端子Ｐ４〜Ｐ１から入力された数値からアツプカウントを行い、８カウントでカウント動作を循環させる。カウンタＣ３の４ビツトの出力Ｑ４〜Ｑ１は、メモリ４の４ビツトのアドレス端子Ａ３〜Ａ０に人力され、指定されたアドレスａｄ１〜ａｄ２ｎの８ビツトのデータＤ７〜Ｄ０が並列に出力される。
　あるタイミングで出力されたデータＤ７〜Ｄ０は、第８図の表示器２の表示素子Ｌｌ，ｎ、…、Ｌｍ，ｎに並列に供給されてこれらのオン／オフ動作を制御する。次のタイミングで新たなデータＤ７〜Ｄ０が出力されると、前記出力時のデータＤ７〜Ｄ０は隣接する表示素子Ｌｌ，ｎ−１、…Ｌｍ，ｎ−１の表示動作を制御し、新たなデータＤ７〜Ｄ０は表示素子Ｌｌ，ｎ、…、Ｌｍ，ｎを制御する。このようにしてメモリ４からデータＤ７〜Ｄ０が出力されるたびに、表示器２で表示された画像が第８図右方から左方へスクロールする。
　第１０図は、従来例の動作を説明するタイムチャートであり、第１１図は従来例のスクロール動作を説明する図である。フリツプフロツプ回路ＦＦにスタート信号ＳＴが入力されるまでは、第１０図（４）に示すようにフリツプフロツプ回路ＦＦの反転出力端子Ｑはローレベルであり、カウンタＣ２はカウント動作を行わず、カウンタＣ３がシフトクロツクＳＣＫに基づいて０〜７までのカウント値のカウント動作を繰り返し行う。
　すなわち表示器２には、第８図示のメモリ４における画像データＡからの表示データＤＴｌに基づいて、たとえば第１１図（１）図示の表示を継続している。第１０図時刻ｔｌで、スタート信号ＳＴがフリツプフロツプ回路ＦＦに入力されると、反転出力端子Ｑは、第１０図（４）のようにハイレベルと成りＡＮＤ回路８は導通し、同期信号ＳＹをカウンタＣ２にクロツク信号として供給する。
　同期信号ＳＹは、ＮＡＮＤ回路７からシフトクロツクＳＣＫの８クロツクおきに、すなわち第１０図の単位スクロール時間Ｔｓおきに発生される。したがってカウンタＣ３は、シフトクロツクＳＣＫの８クロツクおきに＋１づつ増加する初期値から８カウントのカウント動作を開始することになる。この状態は第１０図（６）に示される。すなわちメモリ４の前記アドレスａｄ１、ａｄ２、…ａｄｎ、ａｄ（ｎ＋１）、…ａｄ２ｎの内、連続する８つのアドレスが読み出されつつ、読み出されるアドレス範囲が次第に第８図の左方から右方に要することになる。したがって表示器２では、第１１図（２）〜第１１図（４）に示すように順次与えられる表示データＤＴ２〜ＤＴ４によって、段差を有する斜線が次第に左方にスクロールする状態が表示される。
　発明が解決しようとする課題
　上述した従来例では表示器２における、たとえば斜線のスクロール表示において、シフトクロツクＳＣＫの８クロツクを１周期とする周期信号ＳＹ毎に表示された斜線が１表示素子Ｌずつ左方にスクロールすることに成る。このようなスクロール動作は、前記第１０図（７）図示の単位スクロール時間Ｔｓおきに行われるので、スクロール動作が円滑な連続性を有する動きとして表示されず、スクロール動作における表示品位が低下してしまうという課題を有している。
　本発明の目的は上述の技術的課題を解消し、スクロール動作を行うにあたって円滑な連続性を有するスクロール動作を実現し、表示性能が格段に向上したスクロール表示装置を提供することである。
課題を解決するための手段
　本発明は、表示素子が行列状に配列された表示手段と、各表示素子および隣り合う素子間をスクロール方向に補間する画素を想定し、実在および仮想を含めた全画損による表示を想定した表示データを記憶する記憶手段と、記憶手段に記憶されたデータを実在画素毎の間隔で出力し、しかも１画素毎スクロール方向にずらしたデータを順次出力することにより表示がスクロール動作するときの１画素分スクロールする単位スクロール時間内に１素子あたり複数のデータを各表示素子に送出する出力制御手段とを含むことを特徴とするスクロール表示装置である。
ここで、「１画素毎スクロール方向にずらしたデータ」の「データ」とは、「実在および仮想を含めた全画素による表示を想定した表示データ」のことであり、「１画素分スクロールする」の「１画素」とは、「全体画像を構成する」単位で、１表示素子」のことであり、「１素子あたり複数のデータ」の「複数のデータ」とは、「実在および仮想を含めた複数の単位データ」のことである。
　作用
　本発明に従うスクロール表示装置では、表示素子が行列状に配列された表示手段を用いる。表示手段に表示される画像データは、表示素子毎に与えられる単位データから構成され、記憶手段には表示素子の数以上の
実在および仮想を含めた全画素による表示を想定した
実在および仮想を含めた複数の
　したがって表示手段では、単位スクロール時間毎の表示内容の間の中間的なスクロール状態の表示内容が表示される。したがつてスクロール動作を行うにあたって、円滑で連続性を有するスクロール動作が実現され、このようなスクロール表示装置のスクロール動作に関する品質が格段に向上される。
　本発明では、スクロールの回数が
実在および仮想を含めた
仮想の画素による表示を想定した
仮想の画素による
　実施例
　本実施例は、ＬＥＤや各種光源を行列状に配列して、マトリツクス型表示装置を構成し、当該マトリツクス型表示装置の表示領域内で、文字などのキヤラクタや図形を縦方向または横方向にスクロールさせることによって、多様なデータを順次表示させるスクロール表示装置に関するものである。第１図は、本発明の一実施例のスクロール表示装置（以下、表示装置と略する）１１のブロツク図である。表示装置１１は、表示素子
Ｌ１，１、
　メモリ１４は、表示器１２の表示素子Ｌの数の４倍の記憶容量を有し、画像データＡは表示器１２における第１の表示状態に対応するｍ×２ｎ個の単位データａｉ，ｊ（ｉ＝１〜ｍ，ｊ＝１、１．５、２、２．５、…、ｎ、ｎ．５）から構成され、画像データＢは他の表示状態に対応するｍ×２ｎ個の単位データｂｉ，ｊ（ｉ＝１〜ｍ，ｊ＝１、１．５、２、２．５、…、ｎ、ｎ．５）から構成される。
　第２図は、前記出力制御部１５の構成例を示すブロツク図である。以下の説明ではｍ＝８、
ｎ＝８
　カウンタＣ１１の上位３ビツトの出力Ｑ４〜Ｑ２は、ＡＮＤ回路１７に入力され、ＡＮＤ回路１７の出力はカウンタＣ１１の最下位ビツトＱｌの出力と共にＮＡＮＤ回路１８に入力される。前記最下位ビツトＱ１の出力は、反転回路１９で反転されてシフトクロツクＳＣＫとして出力される共に、前記ＡＮＤ回路１７の出力がデータ入力端子Ｄに入力されるフリツプフロツプ回路ＦＦ１１のクロツク入力端子Ｃに入力され、フリツプフロツプ回路ＦＦ１１の反転出力端子Ｑからは、同期信号ＳＹが出力される。
　また出力制御部１５は、データ入力端子Ｄが基準電圧ＶＤＤに接続されたフリツプフロツプ回路ＦＦ１２を備え、その反転出力Ｑは、ＮＡＮＤ回路１８の出力と共に、ＡＮＤ回路２１に入力され、その出力が５ビツトのカウント出力Ｑ５〜Ｑｌを有するカウンタＣ１２にクロツク信号として入力される。カウンタＣ１２の上位から第２ビツト目の出力Ｑ４は、反転回路２０を介して前記フリツプフロツプ回路ＦＦ１２のクロツク入力端子に与えられる。またフリツプフロツプ回路ＦＦ１２のローアクテイブなリセツト入力端子Ｒには、スタート信号ＳＴが外部から供給される。
　カウンタＣ１２の出力は、カウンタＣ１３の５ビツトの入力端子Ｐ５〜Ｐ１に個別に供給される。カウンタＣ１３のロード信号端子ＬＤには、前記ＮＡＮＤ回路１８の出力が入力され、クロツク入力端子ＣＫには、前記発振器１６からの出力が入力される。カウンタＣ１３は、入力端子Ｐ５〜Ｐｌから入力された数値からアツプカウントを行い、１６カウントでカウント動作を循環させる。カウンタＣ１３の５ビツトの出力Ｑ５〜Ｑｌは、メモ１４の５ビツトのアドレス端子Ａ４〜Ａ０に入力され、指定されたアドレスａｄｌ〜ａｄ２ｎ．５の８ビツトのデータＤ７〜Ｄ０が並列に出力される。
　メモリ１４からの８ビツトのデータ出力Ｄ７〜Ｄ０は、フリツプフロツプ回路ＦＦ１３に入力され、前記カウンタＣ１１の最下位ビツトＱｌからの出力をクロツク信号としてデータＤ７〜Ｄ０を出力する。すなわちカウンタＣ１３のカウント動作は、発振器１６からの信号に基づいて行われ、フリツプフロツプ回路ＦＦ１３は発振器１６からのクロツク信号の２倍の周期のクロツク信号で入力データを出力する。すなわちフリツプフロツプ回路ＦＦ１３は、カウンタＣ１３からのアドレス出力によって走査されるメモリ再からのデータに関して、１つおきのアドレスのデータのみを出力する。
　あるタイミングで出力されたデータＤ７〜Ｄ０は、第１図の表示器１２の表示素子Ｌｌ，ｎ、…、Ｌｍ，ｎに並列に供給されてこれらのオン／オフ動作を制御する。次のタイミングで新たなデータＤ７〜Ｄ０が出力されると、前回出力時のデータＤ７〜Ｄ０は隣接する表示素子Ｌｌ，ｎ−１、…、Ｌｍ，ｎ−１の表示動作を制御し、新たなデータＤ７〜Ｄ０は表示素子Ｌｌ，ｎ、…Ｌｍ，ｎを制御する。このようにしてメモリ１４からデータＤ７〜Ｄ０が出力されるたびに、表示器１２で表示された画像が第１図右方から左方へスクロールする。
　第３図は表示器１２の電気的構成を示すブロツク図である。表示器１２は第１図に示される表示素子Ｌ１，１〜Ｌｍ，ｎの列の数ｎに対応する個数のラツチ回路ＬＣｌ〜ＬＣｎを備える。ラツチ回路ＬＣ１には、第２図示のフリツプフロツプ回路ＦＦ１３からのデータＤ７〜Ｄ０が並列に入力され、出力端子Ｑ７〜Ｑ０から並列に出力されてラツチ回路ＬＣ２に並列に入力される。以下、同様にしてラツチ回路ＬＣｋ（ｋ＝１〜ｎ−１）から８ビツトの出力データは、ラツチ回路ＬＣ（ｋ＋１）に入力される構成であり、各ラツチ回路ＬＣ間のデータの転送は各ラツチ回路ＬＣｌ〜ＬＣｎに共通に入力されるシフトクロツクＳＣＫにより行われる。
　一方、ラツチ回路ＬＣｌ〜ＬＣｎからの各８ビツトの出力は、８ビツトの入力／出力を行うラツチ回路ＬＣ１１、ＬＣ１２、…、ＬＣｌｎにそれぞれ入力される。ラツチ回路ＬＣ１１から出力される表示信号Ｙ１，１６，Ｙ２，１６、…、Ｙｍ，１６は、表示器１２の表示素子Ｌｌ，１６〜Ｌｍ，１６にそれぞれ与えられ、ラツチ回路ＬＣ１２の出力Ｙ１，１５、…、Ｙｍ，１５は、表示素子Ｌｌ，１５〜Ｌｍ，１５にそれぞれ与えられ、以下同様にしてラツチ回路ＬＣｌｎからの出力Ｙｌ，１、…、Ｙｍ，１は表示素子Ｌｌ，１〜Ｌｍ，１にそれぞれ与えられる。
　すなわち第２図示のフリツプフロツプ回路ＦＦ１３から出力された表示データＤ７〜Ｄ０は、表示素子Ｌｌ，１６〜Ｌｍ，１６を表示した後、表示素子Ｌｌ，１５〜Ｌｍ，１５を表示し、以下同様にしてＬｌ，１〜Ｌｍ，１を表示する。
　第４図は表示素子Ｌｉ，ｊに関連する構成のブロツク図である。表示素子Ｌｉ，ｊの一端は電源Ｖ０に接続され他端はトランジスタなどのスイツチング手段２２を介して接地電位に接続される。スイツチング手段２２には抵抗２３を介して前記出力Ｙｉ，ｊが供給されオン／オフ動作を制御する。
　第５図は本実施例の動作を説明するタイムチャートであり、第６図は本実施例の画像データの状態を説明する図であり、第７図は本実施例の表示動作を説明する図である。スタート信号ＳＴがフリツプフロツプ回路ＦＦ１２に入力されるまでは、フリツプフロツプ回路ＦＦ１２の反転出力Ｑは、第５図（４）に示されるようにローレベルであり、カウンタＣ１２は動作せず、カウンタＣ１３は０〜１５までの数値を繰り返し計数する。したがってフリツプフロツプ回路圧１３からは、たとえば第６図（１）に示すようにメモリ１４の１つおきのアドレスａｄ１、ａｄ２、…、ａｄ８が繰り返し読み出され、表示器１２では第７図（１）に示される画像が連続して表示される。
　フリツプフロツプ回路ＦＦ１２にスタート信号ＳＴ第５図時刻ｔ１１で入力されると、反転出力Ｑが第５図（４）に示すようにハイレベルとなり、ＡＮＤ回路２１はＮＡＮＤ回路１８からのクロツク信号を導通する。カウンタＣ１２は、第５図（２）および同図（５）に示されるように、カウンタＣ１１の１６カウントを一周期として１回カウント動作を行う。カウンタＣ１３は、カウンタＣ１２からのカウント値をカウント開始値として発振器１６からのクロツク信号で、第５図（６）に示すように１６回のカウント動作を一周期としてカウンート動作を行う。このカウンタＣ１３からのカウント値は、メモリ１４の前記第１図に示したアドレスａｄ１、ａｄ１．５、ａｄ２、ａｄ２．５、…、ａｄｎ、ａｄｎ．５、ａｄｎ＋１、…、ａｄ２ｎ，ａｎ２ｎ．５を指定するアドレスデータとしてメモリ１４に入力される。
　一方、フリツプフロツプ回路ＦＦ１３は、メモリ１４からのデータを一周期おきにラツチして出力する。この状態は第５図（６）および同図（７）に示される。
　フリツプフロツプ回路ＦＦ１３からの画像データＤ７〜Ｄ０は、第３図に示されるラツチ回路ＬＣ１〜ＬＣｎにシフトクロツクＳＣＫに基づくタイミングで順次的にシフトされ、各ラツチ回路ＬＣ１〜ＬＣｎからの画像データは、ラツチ回路ＬＣ１１〜ＬＣ１ｎにそれぞれ入力されて、表示器１２の各表示素子Ｌｌ，ｊ〜Ｌｍ，ｊ（ｊ＝１〜ｎ）にそれぞれ並列に与えられ、第５図（８）の同期信号ＳＹに基づく、１周期Ｔ１１毎に表示器１２で表示が行われる。
　カウンタＣ１１が１６回のカウント動作を行うとＮＡＮＤ回路１８の出力がローレベルに反転し、カウンタＣ１２ヘカウントクロツクを入力する。これにより、第５図（２）で示すようにカウンタＣ１２のカウント値が＋１インクリメントされて「１」となり、カウンタＣ１３はカウント開始値「１」から１６回のカウント動作を行う。このときカウンタＣ１３からの出力であるアドレスデータによってメモリ１４では、第６図（２）に示されるようにアドレスａｄｌ．５、ａｄ２、ａｄ２．５、…、ａｄ８．５、ａｄ９のデータが順次読み出され、フリツプフロツプ回路ＦＦ１３によって第５図（７）に示されるように、１つおきのアドレスａｄｌ．５、ａｄ２．５、…、ａｄ８．５に対応するデータがシフトクロツクＳＣＫに同期して出力される。したがって表示器１２では、第７図（２）で示される画像が表示される。
　以下、前述した説明と同様な動作が繰返し行われ、カウンタＣ１１が再び１６回のカウント動作を行うと、再びＮＡＮＤ回路１８の出力がローレベルに反転し、カウンタＣ１２はカウント値を＋１だけインクリメントして「２］とする。したがって、メモリ１４からは第６図（３）に示されるように、アドレスａｄ２、ａｄ２．５、ａｄ３、…、ａｄ９、ａｄ９．５に対応するデータが読み出される。フリツプフロツプ回路ＦＦ１３からは第５図（７）に示されるようにアドレスａｄ２、ａｄ３、…、ａｄ９に対応するデータが出力され、表示器１２では第７図（３）に示すような画像が表示される。
　このようにして本実施例では、メモリ１４に表示器１２の表示素子Ｌｉ，ｊの数ｍ×ｎの倍のデータを画像データＡ，Ｂのそれぞれとして記憶することにより、第１０図に示す従来例の単位スクロール時間Ｔｓの間に、１回中間的なスクロール状態の表示を介在させ、円滑なスクロール動作を実現することができる。
　前記実施例では、単位スクロール時間
Ｔｓ
仮想画素による表示を想定した表示データによる
　前記実施例では、表示器１２のスクロールの方向は右から左へ向かう方向として説明したけれども、左から右に向かう方向でもよく、また上下いずれの方向に向かう表示でもよい。また左右方向および上下方向のスクロール動作を組み合わせて斜傾するスクロール表示などが行われてもよく、またスクロール方向は直線的に限らず、曲線的であってもよいのは勿論である。
　本実施例では表示素子Ｌｉ，ｊの表示は、オン／オフの２階調であるけれども、各表示素子Ｌｉ，ｊ毎の表示データを複数ビツトとし、階調表示をおこなうようにしてもよい。また隣接する複数の表示素子Ｌｉ，ｊにたとえば赤色、緑色、青色の色調を設定することにより、カラー表示を行うことができる。また前記実施例では、メモリ１４にスクロール前の表示画面に関する画像データＡと、スクロール後の表示画面に対応する画像データＢとを設定しているけれども、１画面のみの出現や消滅をスクロールで行う場合、メモリ１４には当該１画面分の画像データのみ記憶し、無表示のデータは第２図のカウンタＣ１３のカウント値がメモリ１４に設定された１画面分のデータのアドレス範囲を越えた場合に、予め別途準備された特定データを出力するような構成を用いるようにしてもよい。
　発明の効果
　以上のように本発明に従えば、出力制御手段は単位スクロール時間内に表示素子の数以上の単位データを各表示素子に送出する。したがって表示手段では、単位スクロール時間毎の表示内容の間の中間的なスクロール状態の表示内容が表示される。したがってスクロール動作を行うにあたって、円滑で連続性を有するスクロール動作が実現され、このようなスクロール表示装置のスクロール動作に関する品質が格段に向上される。特に本発明によれば、スクロールの回数が複数回で１画素分移動することができ、本発明では特に行または列の間に隠れた表示データを持ち、これによってあたかもスクロール方向に画素数が増えたかのような見え方が可能となり、したがって画素間隔以上の解像度を表現し、時間的、空間的に円滑な表示を得ることができるようになる。
【図面の簡単な説明】
　第１図は本発明の一実施例の表示装置１１のブロツク図、第２図は出力制御部１５の構成例を示すブロツク図、第３図は表示器１２の構成例を示すブロツク図、第４図は表示素子Ｌｉ，ｊに関連する電気的構成を示す回路図、第５図は本実施例の動作を説明するタイムチヤート、第６図は本実施例におけるメモリ１４のアドレス範囲を説明する図、第７図は表示器１２の表示例を示す図、第８図は従来例の表示装置１のブロツク図、第９図は出力制御部５の構成例を示すブロツク図、第１０図は従来例の動作を説明するタイムチヤート、第１１図は従来例における表示器２の表示例を説明する図である。
１１……表示装置、１２……表示器、１３……単位データ、１４……メモリ、１５……出力制御部、１６……発信器、Ａ，Ｂ……画像データ、Ｃ１〜Ｃ３……カウンタ、Ｌｉ，ｊ……表示素子